(57)【要約】      （修正有）【課題】容器の口頸部に蓋を装着する際に周方向破断ラインにおける橋絡部の破断が可及的に防止される、新規且つ改良された容器と合成樹脂製蓋との組み合わせを提供する。【解決手段】口頸部の外周面に形成されている雄螺条６と蓋のスカート壁２０の主部３４の内周面に形成されている雌螺条４６との軸線方向クリアランスＣを、口頸部の外周面に形成されている係止あご部８の軸線方向有効幅Ｗ以上に設定する。【選択図】図４
2012201402.tif 000002
【特許請求の範囲】
【請求項１】
容器と合成樹脂製蓋との組み合わせであって、該容器の円筒形状口頸部外周面には雄螺条及び該雄螺条の下方に位置する係止あご部が配設されており、該蓋は円形状天面壁及び該天面壁の周縁から垂下する円筒形状スカート壁を有し、該天面壁には周方向に間隔をおいて周方向に延びるスリット及び該スリット間に存在する橋絡部から構成された周方向破断ラインが形成されており、該スカート壁は該周方向破断ラインよりも上方の主部と該破断ラインよりも下方にタンパーエビデント裾部とに区画されており、該主部の内周面には雌螺条が形成されており、該タンパーエビデント裾部の内周面には半径方向内方に膨出した係止突条が形成されている組み合わせにおいて、
該雄螺条と該雌螺条との軸線方向クリアランスＣは該係止あご部の軸線方向有効幅Ｗ以上（Ｃ≧Ｗ）である、ことを特徴とする組み合わせ。
【請求項２】
該軸線方向クリアランスＣは該軸線方向有効幅Ｗよりも０．０乃至０．７ｍｍ大きい（Ｃ−Ｗ＝０．０乃至０．７ｍｍ）、請求項１記載の組み合わせ。
【発明の詳細な説明】
【技術分野】
【０００１】
本発明は、飲料等のための容器と合成樹脂製蓋との組み合わせに関する。
【背景技術】
【０００２】
飲料のための容器と蓋との組み合わせとして、下記特許文献１及び２に開示されている如く、円筒形状口頸部外周面には雄螺条及びこの雄螺条の下方に位置する係止あご部が配設されている容器と、円形状天面壁及びこの天面壁の周縁から垂下する円筒形状スカート壁を有し、スカート壁には周方向に間隔をおいて周方向に延びるスリット及び該スリット間に存在する橋絡部から構成された周方向破断ラインが形成されており、スカート壁は周方向破断ラインよりも上方の主部と該破断ラインよりも下方にタンパーエビデント裾部とに区画されており、主部の内周面には雌螺条が形成されており、タンパーエビデント裾部の内周面には半径方向内方に膨出した係止突条が形成されている合成樹脂製蓋との組み合わせが提案され実用に供されている。
【０００３】
上記のとおりの組み合わせにおいては、容器内に例えば清涼飲料である内容物を充填した後に容器の口頸部に蓋を装着して口頸部を密封する。容器の口頸部に蓋を装着する際には、容器の口頸部に蓋を被嵌して蓋を閉方向に回転せしめ、蓋の雌螺条を容器の雄螺条に螺合せしめる。かくすると、雌螺条と雄螺条との螺合に応じて容器の口頸部に対して蓋が漸次下降せしめられ、タンパーエビデント裾部の弾性変形に起因して蓋の係止突条が容器の口頸部における係止あご部を乗り越える。容器の口頸部を開封する際には、蓋を開方向に回転せしめて、蓋の雌螺条と容器の雄螺条との螺合を漸次解除する。雌螺条と雄螺条との解除に応じて蓋の天面壁及びスカ−ト壁の主部は容器の口頸部に対して上昇せしめられるが、タンパーエビデント裾部は係止突条が係止あご部に係止せしめられている故に上昇が阻止され、これによって周方向破断ラインの橋絡部に応力が生成されて橋絡部が破断され、タンパーエビデント裾部がスカート壁の主部から分離される。そして、タンパーエビデント裾部を口頸部に残留せしめて蓋の天面壁及びスカート壁の主部が口頸部から離脱されて口頸部が開封される。タンパーエビデント裾部に軸線方向破断ラインが形成されており、周方向破断ラインにおける橋絡部の１個乃至数個が非破断橋絡部である場合には、軸線方向破断ラインが破断されることによってタンパーエビデント裾部が無端環状から有端帯状に展開されて係止あご部に対する係止突状の係止が解除され、非破断橋絡部によってスカート壁に接続され続けるタンパーエビデント裾部も口頸部から離脱される。
【先行技術文献】
【特許文献】
【０００４】
【特許文献１】実公平５−１３７３５号公報
【特許文献２】特開昭５９‐２０９５４５号公報
【発明の概要】
【発明が解決しようとする課題】
【０００５】
本発明者等の経験によれば、上述した形態の従来の組み合わせにおいては、容器の口頸部に蓋を装着して口頸部を密封する際に、周方向破断ラインにおける橋絡部が破断されてしまう傾向があることが判明している。
【０００６】
本発明は上記事実に鑑みてなされたものであり、本発明の主たる技術的課題は、容器の口頸部に蓋を装着する際に周方向破断ラインにおける橋絡部の破断が可及的に防止される、新規且つ改良された容器と合成樹脂製蓋との組み合わせを提供することである。
【課題を解決するための手段】
【０００７】
本発明者等は、鋭意検討の結果、従来の組み合わせにおける上記のとおりの問題、即ち容器の口頸部に蓋を装着して口頸部を密封する際に周方向破断ラインにおける橋絡部が破断される問題の主たる原因は、蓋のタンパーエビデント裾部の内周面に形成されている係止突条が容器の口頸部の外周面に形成されている係止あご部を乗り越える時に、係止あご部と係止突条との協働によって周方向破断ラインに下向きの力が加えられると共にスカート壁の主部の内周面に形成されている雌螺条と容器の口頸部の外周面に形成されている雄螺条との協働によって周方向破断ラインに上向きの力が加えられ、これに起因して破断ラインにおける橋絡部が破断されてしまうことを知見した。そして、かかる知見に基づき、従来の組み合わせにおいては係止あご部の軸線方向有効幅Ｗよりも小さく設定されていた雄螺条と雌螺条との軸線方向クリアランスＣを、係止あご部の軸線方向有効幅Ｗ以上に設定することによって上記主たる技術的課題を解決することができることを見い出した。
【０００８】
即ち、本発明によれば、上記主たる技術的課題を達成することができる容器と合成樹脂製蓋との組み合わせとして、容器と合成樹脂製蓋との組み合わせであって、該容器の円筒形状口頸部外周面には雄螺条及び該雄螺条の下方に位置する係止あご部が配設されており、該蓋は円形状天面壁及び該天面壁の周縁から垂下する円筒形状スカート壁を有し、該天面壁には周方向に間隔をおいて周方向に延びるスリット及び該スリット間に存在する橋絡部から構成された周方向破断ラインが形成されており、該スカート壁は該周方向破断ラインよりも上方の主部と該破断ラインよりも下方にタンパーエビデント裾部とに区画されており、該主部の内周面には雌螺条が形成されており、該タンパーエビデント裾部の内周面には半径方向内方に膨出した係止突条が形成されている組み合わせにおいて、
該雄螺条と該雌螺条との軸線方向クリアランスＣは該係止あご部の軸線方向有効幅Ｗ以上（Ｃ≧Ｗ）である、ことを特徴とする組み合わせが提供される。
【０００９】
該軸線方向クリアランスＣは該軸線方向有効幅Ｗよりも０．０乃至０．７ｍｍ大きい（Ｃ−Ｗ＝０．０乃至０．７ｍｍ）のが好適である。
【発明の効果】
【００１０】
本発明の組み合わせにおいては、雄螺条と雌螺条との軸線方向クリアランスＣが、係止あご部の軸線方向有効幅Ｗ以上に設定されているので、蓋のタンパーエビデント裾部の内周面に形成されている係止突条が容器の口頸部の外周面に形成されている係止あご部を乗り越える時には雄螺条の下側に係合していた雌螺条がそれよりも下方に位置する雄螺条の上側に向けて変位し、かくしてスカート壁の周方向破断ラインに力が加えられることが回避され、周方向破断ラインにおける橋絡部が破断されてしまうことが可及的に防止される。
【図面の簡単な説明】
【００１１】
【図１】本発明に従って構成された組み合わせの好適実施形態を、一部を断面で示す正面図。
【図２】図１に示す組み合わせにおける蓋を、一部を断面で示す正面図。
【図３】図１に示す組み合わせにおける蓋の底面図。
【図４】図１に示す組み合わせにおいて容器の口頸部に蓋を装着する際の挙動を説明するための部分断面図。
【図５】従来の組み合わせにおいて容器の口頸部に蓋を装着する際の挙動を説明するための部分断面図。
【発明を実施するための形態】
【００１２】
以下、添付図面を参照して、本発明に従って構成された組み合わせの好適実施形態について更に詳細に説明する。
【００１３】
図１乃至図３を参照して説明すると、本発明に従って構成させた組み合わせは、図１にその口頸部２のみを図示している容器と全体を番号４で示す蓋とから構成されている。ポリエチレンテレフタレートの如き適宜の合成樹脂或いはガラスから形成することができる容器は円筒形状の口頸部２を具備しており、この口頸部２の外周面には３条の雄螺条６、かかる雄螺条６よりも下方に位置する係止あご部８及び係止あご部８よりも更に下方に位置するサポートリング１０が配設されている。係止あご部８は下方に向かって半径方向外方に傾斜して延びる上面１２、実質上鉛直に延びる外周面１４及び実質上水平に延びる下面１６を有する。かような口頸部２を具備する容器自体は周知の形態であるので、その詳細な説明は本明細書においては省略する。
【００１４】
ポリエチレン又はポリプロピレンの如き適宜の合成樹脂から射出成形又は圧縮成形することができる容器蓋４は、円形状の天面壁１８とこの天面壁１８の周縁から垂下する円筒形状のスカート壁２０とを具備する。天面壁１８の内面外周縁部には、下方に垂下する円筒形状の内側シール片２２及び同様に下方に垂下する円筒形状の外側シール片２４が形成されている。更に、内側シール片２２と外側シール片２４との間には比較的小さい環状突条２６が形成されている。
【００１５】
スカート壁２０は比較的肉厚の厚肉上部２８と比較的肉薄の薄肉下部３０を有する。薄肉下部３０の上端部には周方向に延びる破断ライン３２が形成されており、スカート壁２０は破断ライン３２よりも上方の主部３４と破断ライン３２よりも下方のタンパーエビデント裾部３６とに区画されている。図示の実施形態においては、破断ライン３２は周方向に間隔をおいて周方向に延びる複数個のスリット（切り溝）３８とスリット３８間に残留せしめられている複数個の橋絡部４０とから構成されており、タンパーエビデント裾部３６は複数個の橋絡部４０を介して主部３４に接続されている。スリット３８は射出乃至圧縮成形工程の後に、適宜の切断刃によってスカート壁２０の所要部位を切断することによって形成することができる。所望ならば、射出乃至圧縮成形工程においてスリット３８及び橋絡部４０を形成することもできる。
【００１６】
スカート壁２０の主部３４における厚肉上部２８の下端部外周面には、半径方向外方に張り出した環状張出４２が形成されている。スカート壁２０の主部３４における環状張出４２よりも上方の部分の外周面には、周方向に見て交互に存在する凹凸形状から構成された滑り止めローレット４４が形成されている。スカート壁２０の主部３４の内周面には３条の雌螺条４６が形成されている(図２には２条の雌螺条のみが図示されている)。タンパーエビデント裾部３６の内周面には、半径方向に膨出せしめられた係止突条４８が周方向に若干の間隔をおいて複数個、図示の場合は５個、形成されている。周方向に間隔をおいて複数個の係止突条４８を形成することに代えて、周方向に連続して延在する環状係止突条を形成することもできる。係止突条４８の各々の主部（両端部を除く部分）の縦断面形状は略直角三角形状であり、略水平に半径方向内方に或いは半径方向内方に向かって幾分下方に傾斜して延出する上面を有する。
【００１７】
タンパーエビデント裾部３６の内周面には、上記係止突条４８よりも上方において、大径上部５０と嵌合下部５２とが配設されている。大径上部５０は内径ｄ１を有し、嵌合下部５２は内径ｄ２を有し、内径ｄ２は内径ｄ１よりも小さく設定されている。図示の実施形態においては、大径上部５０と嵌合下部５２との間には下方に向かって内径が漸次減少する逆円錐台形状である境界部５４が存在する。大径上部５０及び嵌合下部５２の構成及び作用効果の詳細については、本出願人の出願にかかる特願２０１１−００３３２７号の明細書及び図面を参照されたい。
【００１８】
本発明に従って構成された組み合わせにおいては、蓋４のスカート壁２０における主部３４の内周面に形成されている雌螺条４６の幅が比較的小さく設定されており、口頸部２の外周面に形成されている雄螺条６と蓋４のスカート壁２０の主部３４の内周面に形成されている雌螺条４６との間の軸線方向クリアランスＣ（図４−Ｃを参照されたい）が、係止あご部８の軸線方向有効幅（即ち外周面１４の軸線方向寸法）Ｗ以上に設定されていることが重要である。軸線方向クリアランスＣと軸線方向有効幅Ｗとの差は０．０乃至０．７ｍｍ程度（Ｃ−Ｗ＝０．０乃至０．７ｍｍ）であるのが好適である。雌螺条４６の幅Ｈは、成形性（螺条だれの回避等）及び組み合わせの耐落下衝撃性との見地から、１．０乃至１．６ｍｍ程度であるのが好都合である。また、雌螺条４６の谷内径Ｄｃ１と雄螺条６の山外径Ｄｃ２との差Ｄｃ１−Ｄｃ２は０．１乃至０．７ｍｍ程度であるのが好都合である。
【００１９】
容器内に内容物を充填した後に口頸部２に蓋４を装着して口頸部２を密封する際には、口頸部２に蓋４を被嵌して蓋４を閉回転方向、図１において上方から見て時計方向、に回転せしめ、蓋４の雌螺条４６を口頸部２の雄螺条６に螺合せしめる。雌螺条４６と雄螺条６との螺合の進行に応じて蓋４は漸次下降せしめられる。図４Ａに図示する位置まで蓋４が下降せしめられると、内側シール片２２が口頸部２内に進入して口頸部２の内周面に密接せしめられることによって蓋４の下降に対する抵抗が生成され、図４Ａに二点鎖線で示す状態、即ち雌螺条４６が雄螺条６の上側に係合する状態、から図４Ａに実線で示す状態、即ち雌螺条４６が雄螺条６の下側に係合する状態、になる。蓋４が図４Ｂに示す位置まで下降せしめられると、主としてタンパーエビデント裾部３６の弾性変形によって蓋４の係止突条４８が口頸部２の係止あご部８の外周面１４に乗り上がる。そして、蓋４が更に下降せしめられると、図４Ｃに図示する如く、係止突条４８が係止あご部８を乗り越え、この瞬間に係止あご部８とこれを乗り越えた係止突条４８との協働によって、スカート壁２０には下向きの力が生成され、そしてこの下向きの力に起因して雌螺条４６は図４Ｃに二点鎖線で示す状態、即ち雄螺条６の下側に係合する状態、から図４Ｃに実線で示す状態に変位せしめられる。本発明に従って構成された組み合わせにおいては、上述したとおり雄螺条６と雌螺条４６との間の軸線方向クリアランスＣが係止あご部８の軸線方向有効幅Ｗ以上に設定されている故に、雌螺条４６が雄螺条６の上側に密接せしめられることはなく、従って周方向破断ライン３２、特にその橋絡部４０に過剰な応力が生成されることはなく、橋絡部４０が破断されてしまうことが可及的に防止される。蓋４が図４Ｄに示す位置まで下降されて口頸部２に所要とおりに装着された状態においては、雌螺条４６は再び雄螺条６の下側に係合する状態になる。
【００２０】
図５に図示する如く、従来の組み合わせにおいては、雄螺条１０６と雌螺条１４６との間の軸線方向クリアランスＣは係止あご部１０８の軸線方向有効幅Ｗよりも小さい故に、係止突条１４８が係止あご部１０８を乗り越えた瞬間にスカート壁１２０に下向きの力が生成されて雌螺条１４６が下方に変位せしめられると、図５Ｂに実線で示す如く雌螺条１４６が雄螺条１０６の上側に密接せしめられる。従って、係止あご部１０８とこれを乗り越えた係止突条１４８との協働によってスカート壁１２０に下向きの力が生成されると共に、雄螺条１０６とその上側に密接せしめられた雌螺条１４６との協働によってスカート壁１２０に上向きの力が加えられ、かくして周方向破断ラインにおける橋絡部に過剰な応力が生成されて橋絡部が破断されてしまう傾向がある。
【００２１】
内容物を消費するために口頸部２を開封する際には、蓋４を開方向、即ち図１において上方から見て反時計方向、に回転せしめる。蓋４の係止突条４８が口頸部２の係止あご部８に係止せしめられる故に、タンパーエビデント裾部３６の上昇が阻止され、破断ライン３２、更に詳しくはその橋絡部４０に応力が生成され、破断ライン３２が破断されてタンパーエビデント裾部３６がスカート壁２０の主部３４から分離される。しかる後においては、蓋４の開方向への回転に応じて蓋４のタンパーエビデント裾部３６を除く部分が上昇せしめられ、タンパーエビデント裾部３６を口頸部２に残留せしめて蓋４が口頸部２から離脱され、かくして口頸部２が開封される。
【００２２】
図示の実施形態においては、口頸部２の開封の際には破断ライン３２が周方向全体に渡って破断され、タンパーエビデント裾部３６がスカート壁２０の主部３４から完全に分離されるが、所望ならばタンパーエビデント裾部３６に軸線方向に延びる付加破断ラインを形成し、口頸部２を開封する際には破断ライン３２における橋絡部が局部的に破断されることなく残留せしめられてタンパーエビデント裾部３６はスカ−ト壁２０の主部３４に接続され続け、タンパーエビデント裾部３６の付加破断ラインが破断されてタンパーエビデント裾部３６が無端環状から有端帯状に展開されて係止あご部８に対する係止突条４８の係止が解除され、タンパーエビデント裾部３６を含む蓋４の全体が口頸部２から離脱されるようになすこともできる。
【符号の説明】
【００２３】
２：容器の口頸部
４：蓋
６：雄螺条
８：係止あご部
１８：天面壁
２０：スカート壁
３２：破断ライン
３４：スカート壁主部
３６：タンパーエビデント裾部
３８：スリット
４０：橋絡部
４６：雌螺条
４８：係止突条
Ｃ：軸線方向クリアランス
Ｗ：軸線方向有効幅
【図１】
2012201402.tif 000003
【図２】
2012201402.tif 000004
【図３】
2012201402.tif 000005
【図４】
2012201402.tif 000006
【図５】
2012201402.tif 000007